(57)【特許請求の範囲】
【請求項１】
複数の画像からなる画像群を記憶するための記憶手段と、
前記記憶手段に前記画像群を入力する入力手段と、
前記記憶手段に記憶された前記画像群を出力する出力手段とを備え、
前記入力手段と前記出力手段とは独立して前記画像群の処理が可能な画像形成装置であって、
前記入力手段で前記画像群の処理の途中で処理が停止している時間を前記画像群ごとに計測する第１の計測手段と、
前記出力手段で前記画像群の処理の途中で処理が停止している時間を前記画像群ごとに計測する第２の計測手段と、
前記入力手段で処理中の画像群について前記第１の計測手段で第１の時間が計時されたときに該画像群の処理を中止し、前記出力手段で処理中の画像群について前記第２の計測手段で前記第１の時間が計時されたときに該画像群の処理を中止する中止手段とを備えた、画像形成装置。
【請求項２】
前記入力手段で前記画像群に対して処理がされたときに前記第１の計測手段をリセットし、前記出力手段で前記画像群に対して処理がされたときに前記第２の計測手段をリセットするリセット手段をさらに備えた、請求項１に記載の画像形成装置。
【請求項３】
前記画像群の動作モードを設定するための操作手段をさらに備え、
前記操作手段は、外部からの入力を検知する検知手段を含み、
前記リセット手段は、前記検知手段で外部からの入力を検知したときに、前記操作手段で設定の対象となっている前記画像群が前記入力手段で処理中の場合は前記第１の計測手段をリセットし、前記操作手段で設定の対象となっている前記画像群が前記出力手段で処理の途中の場合は前記第２の計測手段をリセットすることを特徴とする、請求項２に記載の画像形成装置。
【請求項４】
前記リセット手段は、前記入力手段が前記画像群のうち少なくとも１つの画像を処理したときに前記第１の計測手段をリセットし、前記出力手段で前記画像群のうち少なくとも１つの画像を処理したときに前記第２の計測手段をリセットすることを特徴とする、請求項２または３に記載の画像形成装置。
【請求項５】
少なくとも１つの画像群を選択する選択手段をさらに備え、
前記中止手段は、前記選択手段で選択された前記画像群が前記入力手段で処理中のときであって前記第１の計測手段で第１の時間が計時されたときに前記画像群の処理を中止し、前記選択手段で選択された前記画像群が前記出力手段で処理中のときであって前記第２の計測手段で前記第１の時間が計時されたときに前記画像群の処理を中止する、請求項１から４のいずれかに記載の画像形成装置。
【請求項６】
前記中止手段は、前記選択手段で選択されていない前記画像群が前記入力手段で処理中のときであって前記第１の計測手段で前記第１の時間よりも長い第２の時間が計時されたときに前記画像群の処理を中止し、前記選択手段で選択されていない前記画像群が前記出力手段で処理中のときであって前記第２の計測手段で前記第２の時間が計時されたときに前記画像群の処理を中止することを特徴とする、請求項５に記載の画像形成装置。
【請求項７】
前記画像群の動作モードを設定するための設定手段をさらに備え、前記中止手段は、前記操作手段で設定の対象となっている画像群が前記入力手段で処理中のときは前記第１の計測手段で前記第１の時間と異なる第３の時間が計時されたときに前記画像群の処理を中止し、前記操作手段で設定の対象となっている前記画像群が前記出力手段で処理中のときは前記第２の計測手段で前記第３の時間が計時されたときに前記画像群の処理を中止することを特徴とする、請求項１〜６のいずれかに記載の画像形成装置。
【発明の詳細な説明】
【０００１】
【発明の属する技術分野】
この発明は画像形成装置に関し、特に原稿を複写する複数のジョブを独立して処理することができる画像形成装置に関する。
【０００２】
【従来の技術】
従来より、原稿の読込とプリントの動作を独立して行なうことができる画像形成装置が知られている。この画像形成装置は、原稿を複写するための第１のジョブを出力中に第２のジョブの入力が可能となっている。また、装置全体が動作していない場合や操作者により何ら操作されていない場合には、設定された複写モードを自動的にクリアする機能を有している。
【０００３】
【発明が解決しようとする課題】
しかしながら、従来の画像形成装置においては、複写モードを自動的にクリアする機能は、たとえば、原稿を読込するジョブが複写モードの設定状態で放置されている場合であっても、原稿を出力するジョブが継続して処理されている限り、複写モードのクリアは行なわれない。したがって、次に画像形成装置を使用する別の操作者が画像形成装置を操作しようとしても、原稿を入力するジョブが複写モードを設定する途中の状態のままで放置されることになるので、画像形成装置を使用可能か否かの判断ができない。このように複写モードの設定途中で長時間放置されている場合には、別の操作者が装置の使用を長時間することができないという問題がある。
【０００４】
本発明は上述の問題点を解決するためになされたもので、読込またはプリントの処理が途中で停止している時間を別々に計測することができる画像形成装置を提供することを目的とする。
【０００５】
【課題を解決するための手段】
上述の目的を達成するためにこの発明のある局面による画像形成装置は、複数の画像からなる画像群を記憶するための記憶手段と、記憶手段に画像群を入力する入力手段と、記憶手段に記憶された画像群を出力する出力手段とを備え、入力手段と出力手段とは独立して画像群の処理が可能な画像形成装置であって、入力手段で画像群の処理の途中で処理が停止している時間を画像群ごとに計測する第１の計測手段と、出力手段で画像群の処理の途中で処理が停止している時間を画像群ごとに計測する第２の計測手段と、入力手段で処理中の画像群について第１の計測手段で第１の時間が計時されたときに該画像群の処理を中止し、出力手段で処理中の画像群について第２の計測手段で第１の時間が計時されたときに該画像群の処理を中止する中止手段とを備える。
【０００６】
好ましくは画像形成装置は、入力手段で画像群に対して処理がされたときに第１の計測手段をリセットし、出力手段で画像群に対して処理がされたときに第２の計測手段をリセットするリセット手段をさらに備える。
【０００７】
さらに好ましくは画像形成装置は、画像群の動作モードを設定するための操作手段をさらに備え、操作手段は、外部からの入力を検知する検知手段を含み、リセット手段は、検知手段で外部からの入力を検知したときに、画像群が入力手段で処理中の場合は第１の計測手段をリセットし、画像群が出力手段で処理中の場合は第２の計測手段をリセットすることを特徴とする。
【０００８】
さらに好ましくは画像形成装置のリセット手段は、入力手段が画像群のうち少なくとも１つの画像を処理したときに第１の計測手段をリセットし、出力手段で画像群のうち少なくとも１つの画像を処理したときに第２の計測手段をリセットすることを特徴とする。
【０００９】
さらに好ましくは画像形成装置は、少なくとも１つの画像群を選択する選択手段をさらに備え、中止手段は、選択手段で選択された画像群が入力手段で処理中のときであって第１の計測手段で第１の時間が計時されたときに画像群の処理を中止し、選択手段で選択された画像群が出力手段で処理中のときであって第２の計測手段で第１の時間が計時されたときに画像群の処理を中止する。
【００１０】
さらに好ましくは画像形成装置の中止手段は、選択手段で選択されていない画像群が入力手段で処理中のときであって第１の計測手段で第１の時間よりも長い第２の時間が計時されたときに画像群の処理を中止し、選択手段で選択されていない画像群が出力手段で処理中のときであって第２の計測手段で第２の時間が計時されたときに画像群の処理を中止することを特徴とする。
【００１１】
さらに好ましくは画像形成装置の画像群の動作モードを設定するための設定手段をさらに備え、中止手段は、操作手段で設定の対象となっている画像群が入力手段で処理中のときは第１の計測手段で第１の時間と異なる第３の時間が計時されたときに画像群の処理を中止し、操作手段で設定の対象となっている画像群が出力手段で処理中のときは第２の計測手段で第３の時間が計時されたときに画像群の処理を中止することを特徴とする。
【００１３】
これらの発明に従うと、処理の対象となる画像群に対して、入力手段と出力手段のそれぞれで画像群の処理の途中で処理が停止している時間を計測可能な画像形成装置を提供することができる。
【００１４】
【発明の実施の形態】
以下、図面を参照してこの発明の実施の形態について説明する。なお、図中同一符号は同一または相当する部材を示す。
【００１５】
［第１の実施の形態］
図１は、本発明の第１の実施の形態におけるデジタル複写機２００の概略構成を示す模式的断面図である。デジタル複写機２００は、大きくは原稿を搬送して必要に応じて原稿の表裏を反転させる自動原稿搬送装置５００と、原稿の画像を読取って画像データを形成する読取装置ＩＲと、読取装置ＩＲで読取られた画像データを一時記憶する画像メモリ２３０と、画像メモリ２３０に格納された画像データに基づいて複写用紙に印字を行なうプリンタ装置ＰＲＴと、操作を入力するための操作パネル１５０（デジタル複写機２００上面（紙面に垂直方向）に設置されている）と、外部とのデータの授受を行なうための外部入出力制御部２５０とから構成される。
【００１６】
自動原稿搬送装置５００では、原稿給紙トレイ５０１にセットされた原稿は、プリントが指示されると最下層の原稿から自動的にプラテンガラス２１５上の読取位置にセットされ、読取装置ＩＲでの読取が完了すると、排紙トレイ５０２上に排出される。
【００１７】
読取装置ＩＲは、走査系２１０と画像信号処理部２２０とからなる。走査系２１０では、まず読取位置にセットされた原稿の画像がその下方を移動するスキャナ２１６に取付けられた露光ランプ２１１により露光される。原稿からの反射光は、反射ミラーおよび集光レンズ２１２を通り、ＣＣＤアレイなどを用いた光電変換素子２１３、２１４に入力される。続いて、これらの走査系２１０で得られた信号は、画像信号処理部２２０へ送られる。画像信号処理部２２０では、入力された信号に対して２値化処理、画質補正、変倍、画像編集などの画像処理が行なわれる。そして画像処理が行なわれた画像データは、画像メモリ２３０に格納される。
【００１８】
プリンタ装置ＰＲＴは、印字処理部２４０、光学系２６０、作像系２７０、用紙搬送系２８０からなる。印字処理部２４０は、画像メモリ２３０からの画像データに基づいて、光学系２６０を駆動する。光学系２６０では、印字処理部２４０によって制御される信号に基づいて半導体レーザ２６１，２６２が、それぞれレーザビームを発する。これらは、ダイクロイックミラー２６３で合成され、モータ２６４によって回転するポリゴンミラー２６５によって反射され、主レンズ２６６を通して作像系２７０の感光体２７１に向けて照射される。
【００１９】
作像系２７０では、まず感光体２７１は、帯電チャージャ２７２によって帯電された後、光学系２６０からのレーザビームが照射される。これにより、感光体２７１上には、静電潜像が形成される。続いて、現像機２７３により、静電潜像上にトナーが載せられる。感光体２７１上のトナー像は、用紙搬送系２８０の給紙カセット２８０ａまたは給紙カセット２８０ｂから給紙された複写用紙に転写される。その後、用紙搬送ベルト２８１によって用紙は定着器２８２に搬送され、熱と圧力とによりトナーが用紙に定着された後、図示しない受皿上に排出される。なお、図示していないが、受皿の代わりにソータを用いて、排出される用紙を分類して出力するようにしてもよい。
【００２０】
外部入出力制御部２５０は、外部に接続されたパーソナルコンピュータ、ローカルエリアネットワーク（ＬＡＮ）および公衆電話回線（ＰＳＴＮ）と画像メモリ２３０との間でデータの授受を行なう。外部入出力制御部２５０は、主にパーソナルコンピュータとの制御信号および画像データの授受のための通信制御を行なう通信制御部と、ＬＡＮに接続され外部のＬＡＮに接続された装置との制御信号および画像データの授受のためにネットワーク制御を行なうネットワーク制御部と、ファクシミリ動作時に画像メモリ２３０とのデータの授受および画素密度、符号化方式などの変換を行なうファクシミリ変換部と、ファクシミリ動作時に画像データおよび制御信号の変調、復調などの通信制御を行ない、また電話回線に接続されＰＳＴＮとの通信制御を行なうＧ３ユニット等から構成される。
【００２１】
外部入出力制御部２５０で外部のパーソナルコンピュータ等から入力された画像データは、画像メモリ２３０に記憶される。したがって、画像メモリ２３０には、読取装置ＩＲで読取った画像データと、外部入出力制御部２５０で受信した画像データとを記憶することができる。
【００２２】
図２は、デジタル複写機２００の上面に設けられる操作パネル１５０の構成を説明するための平面図である。操作パネル１５０は、液晶表示装置１５６と、その上に設けられ透明な部材からなるタッチパネル１５１と、複写部数や複写倍率などの数値を入力するためのテンキー１５２と、コピー開始を指示するためのスタートキー１５５と、入力した数値のクリアまたは画像メモリ２３０に記憶されている画像データを破棄するためのクリアキー１５３と、液晶表示装置１５６に表示されている動作モードをクリアするためのパネルリセットキー１５７と、デジタル複写機２００の動作の停止を指示するためのストップキー１５４とを含む。
【００２３】
液晶表示装置１５６には、使用者に対してデジタル複写機２００の内部の状況や、デジタル複写機の動作モード等を表示することができる。また、デジタル複写機２００の動作モードを設定するためのメニュー画面を表示することができ、タッチパネル１５１を使用者が押下することにより、メニュー画面に従った動作モードの入力が可能となっている。
【００２４】
図２に示す液晶表示装置１５６に表示されている画面例では、予約設定ボタン１５８が表示されている。この予約設定ボタン１５８を押下することにより、現在デジタル複写機がプリント動作を行なっている処理とは別の処理を設定することができる。
【００２５】
図３は、デジタル複写機２００を制御する制御部の概略構成を示すブロック図である。図を参照して制御部は、デジタル複写機２００全体を制御するためのＣＰＵ１７３と、ＣＰＵ１７３で実行するプログラムを格納するＲＯＭ１７１と、ＣＰＵ１７３でプログラムを実行するのに必要となる情報を記憶するＲＡＭ１７２と、２つのタイマ１７４，１７５と、操作パネル１５０と、外部入出力制御部２５０とを含む。
【００２６】
タイマ１７４は、読取装置ＩＲで一まとまりの原稿束の読取を開始してからの経過時間を計測する。タイマ１７５は、画像メモリ２３０に記憶されている画像データをプリンタ装置ＰＲＴで出力を開始してからの経過時間を計測する。
【００２７】
このように構成してなるデジタル複写機２００は、読取装置ＩＲで原稿を読取る処理とプリンタ装置ＰＲＴで画像メモリ２３０に記憶されている画像データを出力する処理とを独立して実行することができる。また、画像メモリ２３０には、複数の画像データを記憶することができ、一まとまりの原稿を読取装置ＩＲで読取って得られた画像データを複数個別々に画像メモリ２３０に記憶することができる。
【００２８】
このように、デジタル複写機２００では、マルチジョブ動作が可能となっている。図４は、デジタル複写機２００で行なわれるマルチジョブ動作について説明するための模式図である。マルチジョブ動作とは、プリンタ装置ＰＲＴで画像メモリ２３０に記憶されている画像データを出力中に（ジョブ１）新たな一束の原稿を読取装置ＩＲで読取り（ジョブ３）、読取った画像データを画像メモリ２３０に記憶する動作を同時にするものである。すなわち、画像メモリ２３０に記憶されている画像データをプリンタ装置ＰＲＴで出力するジョブ１と、ジョブ１とは無関係の一束の原稿を読取装置ＩＲで読取るジョブ３とを同時に別々に行なうことをいう。また、画像メモリ２３０には読取装置ＩＲで読取った一束の原稿ごとに画像データを記憶することができ、画像メモリ２３０に記憶されている画像データは、プリンタ装置ＰＲＴで出力されるのを待つジョブ（ジョブ２）となる。
【００２９】
図５は、本実施の形態におけるデジタル複写機２００で行なわれる処理の流れを示すメインフロー図である。図を参照して、ＣＰＵ１７３に電源をＯＮするなどしてリセットがかかると、図５に示すメインフローのプログラムがスタートする。そして、まずＲＡＭのクリアや各種レジスタの設定などのＣＰＵ１７３のイニシャライズが行なわれる（ステップＳ３０）。その後、プリンタ装置ＰＲＴのモードの初期化処理が行なわれる（ステップＳ３１）。プリンタ装置ＰＲＴのモードの初期化とは、たとえば、複写倍率、複写濃度、原稿サイズ等をＲＯＭ１７１に予め記憶されている初期値に設定する処理である。
【００３０】
その後、ＣＰＵ１７３に内蔵されている内部タイマをスタートさせる（ステップＳ３２）。この内部タイマには予めステップＳ３０の初期設定において初期値が設定されている。
【００３１】
続いて、現在のジョブの状態を決定するジョブ制御処理（ステップＳ３３）と、ＬＣＤおよびＬＥＤの表示を行なう表示処理（ステップＳ３４）、テンキー１５２や液晶表示装置１５６上に設けられたタッチパネル１５１等からの入力を受付ける入力処理（ステップＳ３５）、オートクリア用のタイマ１７４，１７５をカウントしてオートクリアを行なうオートクリア処理（ステップＳ３６）、その他の処理（ステップＳ３７）とを順次行なう。
【００３２】
すべてのサブルーチン処理が終了すると、最初にセットした内部タイマの終了を待って（ステップＳ３８）、１ルーチンを終了し、ステップＳ３２に戻る。この１ルーチンの時間の長さを使って、タイマ１７４，１７５でメインフローの処理を何回繰返したかを計数する。したがって、タイマ１７４，１７５は、時間を直接計時しているわけでなく、メインフローの処理を１回終了するまでの時間と内部タイマの設定時間とのいずれか長い時間を積算することにより計時するものである。
【００３３】
このようにすることで、直接時間を計時するタイマを用いた場合に必要となる割込処理を不要とすることができる。また、タイマ１７４，１７５は、実際にはメインフローの処理を実行した回数を計数しているので、タイマ１７４，１７５のしきい値を整数で表わすことができ、タイマ１７４，１７５の設定が容易となる。
【００３４】
図６は、図５のステップＳ３３に示すジョブ制御処理の流れを示すフロー図である。ここで、カレントジョブについて説明する。カレントジョブとは、操作者がデジタル複写機２００に対して操作を行なっていると思われるジョブをいう。カレントジョブに対して操作対象でないジョブをサブジョブという。
【００３５】
図６を参照して、ジョブ制御処理は、デジタル複写機２００が停止しているか否かを判断する（ステップＳ５０）。デジタル複写機２００が停止中か否かは、読取装置ＩＲもしくはプリント装置ＰＲＴのいずれかが動作しているか否かで判断される。デジタル複写機２００が停止中でなければ（ステップＳ５０でＮＯ）、読取装置ＩＲが動作中か否かが判断される（ステップＳ５１）。読取装置ＩＲが読取中であれば、カレントジョブを「読込」とし（ステップＳ５１３）、メインフローに戻る。読取装置Ｒが動作中でなければ（ステップＳ５１でＮＯ）、プリント装置ＰＲＴが動作中か否かが判断される（ステップＳ５１１）。プリント装置ＰＲＴが動作中であればカレントジョブを「プリント」とし（ステップＳ５１２）、プリント装置ＰＲＴが動作中でなければ（ステップＳ５１１でＮＯ）、カレントジョブに何も設定せずにメインフローに戻る。
【００３６】
ステップＳ５０でデジタル複写機２００が停止中であれば（ステップＳ５０でＹＥＳ）、エラーが発生しているか否かを判断する（ステップＳ５２）。エラーが発生しているか否かは、読取装置ＩＲとプリント装置ＰＲＴから出力されるエラー信号をＣＰＵ１７３で受信することによりエラーの発生を判断する。
【００３７】
受信したエラー信号からエラーが発生したのがプリント装置ＰＲＴにおけるエラーなのか読取装置ＩＲにおけるエラーであるのかを判断する（ステップＳ５２１およびステップＳ５２３）。プリント装置ＰＲＴで生じたエラーである場合には（ステップＳ５２１でＹＥＳ）、カレントジョブに「プリント」を設定しメインフローに戻る。読取装置ＩＲで生じたエラーである場合には（ステップＳ５２１でＮＯかつステップＳ５２３でＹＥＳ）、カレントジョブに「読込」を設定してメインフローに戻る。発生したエラーがプリント装置ＰＲＴおよび読取装置ＩＲのいずれで発生したエラーでない場合には（ステップＳ５２１でＮＯかつステップＳ５２３でＮＯ）、全体エラーと判断し（ステップＳ５２５）、カレントジョブに何も設定せずメインフローに戻る。
【００３８】
デジタル複写機２００が停止中であってエラーにより停止しているのでなければ（ステップＳ５０でＹＥＳかつステップＳ５２でＮＯ）、デジタル複写機２００に対する操作がされたか否かが判断される（ステップＳ５３）。デジタル複写機２００に対する操作の有無は、操作パネル１５０が操作されたか否かにより判断される。操作パネル１５０が操作された場合には（ステップＳ５３でＹＥＳ）、プリント装置ＰＲＴで処理しているジョブに対する操作であるのか読取装置ＩＲで処理しているジョブに対する操作であるのかが判断される（ステップＳ５１３およびステップＳ５３３）。プリント装置ＰＲＴで処理しているジョブに対する操作であるのか読取装置ＩＲで処理しているジョブに対する操作であるのかの判断は、操作パネル１５０の液晶表示部１５６に表示されているジョブにより判断される。
【００３９】
図４に示したマルチジョブ動作をデジタル複写機２００は行なうので、デジタル複写機２００内には複数のジョブが存在する。そのうちの１つは読取装置ＩＲで処理され、他の１つはプリント装置ＰＲＴで処理され、その他のジョブは画像メモリに記憶される。それぞれのジョブについて、デジタル複写機２００で処理する動作モードが設定されており、設定されていない場合には、操作パネル１５０からの入力により設定が可能である。デジタル複写機２００内に存在するジョブを選択するためには、操作パネル１５０の液晶表示装置１５６に表示された予約設定キー１５８を押下することにより、ジョブ選択画面が表示され、表示されたジョブ選択画面にはデジタル複写機２００内に存在するジョブのすべてが読取装置ＩＲで読取られた順に番号が付加されて表示される。使用者は表示されたジョブから所望のジョブを選択することができる。使用者により選択されたジョブが判かれば、操作対象のジョブが読取装置ＩＲで処理されているジョブであるのかプリント装置ＰＲＴで処理されているジョブであるのか、または画像メモリ２３０に記憶されているジョブであるのかを判断することができる。
【００４０】
操作パネル１５０の液晶表示装置１５６に表示されているジョブがプリント装置ＰＲＴで処理しているジョブである場合には（ステップＳ５３１でＹＥＳ）、カレントジョブに「プリント」を設定してメインフローに戻る。液晶表示装置１５６に表示されているジョブが読取装置ＩＲで処理しているジョブである場合には（ステップＳ５３１でＮＯかつステップＳ５３３でＹＥＳ）、カレントジョブに「読込」を設定してメインフローに戻る。液晶表示装置１５６に表示されている動作モードが画像メモリに記憶されているジョブである場合には（ステップＳ５３１でＮＯかつステップＳ５３３でＮＯ）、カレントジョブに何も設定せずメインフローに戻る。
【００４１】
デジタル複写機に対する操作がない場合には（ステップＳ５３でＮＯ）、プリント装置ＰＲＴがプリント動作を中断しているのか読取装置ＩＲが動作を中断しているのか否かが判断される（ステップＳ５４およびステップＳ５５）。プリント装置ＰＲＴまたは読取装置ＩＲが動作を中断しているか否かは、これらを制御するＣＰＵ１７３で検知することができる。プリント装置ＰＲＴが動作を中断する場合には、たとえば現像機２７３中のトナーが不足した場合、給紙カセット２８０から給紙された用紙が紙詰まりを起こした場合、操作パネル１５０のストップキー１５４が押下された場合などが挙げられる。また、読取装置ＩＲが動作を中断する場合とは、たとえば自動原稿搬送装置５００で原稿を適正に搬送することができなかった場合、画像メモリ２３０の記憶容量が不足した場合、操作パネル１５０のストップキー１５４が押下された場合などが挙げられる。
【００４２】
プリント装置ＰＲＴと読取装置ＩＲの両方が動作を中断している場合には（ステップＳ５４でＹＥＳかつステップＳ５４１でＹＥＳ）、両動作が中断していると判断し（ステップＳ５４２）、カレントジョブに何も設定せずにメインフローに戻る。プリント装置ＰＲＴのみが動作を中断している場合は（ステップＳ５４でＹＥＳかつステップＳ５４１でＮＯ）、カレントジョブに「プリント」を設定して（ステップＳ５４３）メインフローに戻る。読取装置ＩＲのみが動作を中断している場合は（ステップＳ５４でＮＯかつステップＳ５５でＹＥＳ）、カレントジョブに「読込」を設定して（ステップＳ５５１）メインフローに戻る。プリント装置ＰＲＴと読取装置ＩＲの両方とも中断していない場合には（ステップＳ５４でＮＯかつステップＳ５５でＮＯ）、デジタル複写機２００は待機中であると判断して（ステップＳ５５２）、カレントジョブに何も設定せずにメインフローに戻る。
【００４３】
このように、ジョブ制御処理においては、読取装置ＩＲの動作状態と、プリント装置ＰＲＴの動作状態と、操作パネル１５０における操作状態とにより、カレントジョブが決定される。ここで決定されたカレントジョブの動作モードが操作パネル１５０の液晶表示装置１５６に表示される。
【００４４】
図７は、キー入力処理の流れを示すフロー図である。キー入力処理とは、液晶表示部１５６に表示されている予約設定キー１５８を押下することにより、読取装置ＩＲで処理しているジョブをカレントジョブに設定するための処理である。図を参照して、液晶表示装置１５６に表示されている予約設定キー１５８が押下されたか否かが判断される（ステップＳ６１）。予約設定キー１５８の押下は、タッチパネル１５１により検知される。予約設定キー１５８が押下されていない場合には（ステップＳ６１でＮＯ）、その他のキーの押下を検知した場合にその検知したキーに割当てられている処理を行なう（ステップＳ６２）。たとえば、テンキー１５２が押下された場合には、コピー枚数に押下されたキーの数字を設定する。
【００４５】
予約設定キー１５８が押下された場合には（ステップＳ６１でＹＥＳ）、カレントジョブが「プリント」に設定されており、かつ読取装置ＩＲが動作していない状態であるか否かが判断される（ステップＳ６３）。条件が満たされた場合には（ステップＳ６３でＹＥＳ）、カレントジョブに「読込」が設定される（ステップＳ６４）。条件が満たされない場合には（ステップＳ６３でＮＯ）、何も行なわず処理を終了する。
【００４６】
これにより、読取装置ＩＲが動作していない状態で、プリント装置ＰＲＴのみが動作している状態のときに、原稿をセットして読取装置ＩＲを動作させたい場合にカレントジョブを「読込」に設定するための処理が行なわれる。
【００４７】
したがって、プリント装置ＰＲＴのみが動作している状態で、予約設定キー１５８が押下されると、液晶表示装置１５６にプリントジョブの初期値が表示され、初期値を変更するための入力操作が可能となり、スタートキー１５５を押下することにより設定された動作モードで原稿の読取が開始される。
【００４８】
図８は、表示処理の流れを示すフロー図である。図を参照して、表示処理はまずＬＥＤ表示のための処理を行なう（ステップＳ７０）。ＬＥＤ表示とは、操作パネル１５０のスタートキー１５３、ストップキー１５４、パネルリセットキー１５７の下部に設けられたＬＥＤの表示を制御するための処理である。たとえば、スタートキー１５５を押下することが可能なときに青色のＬＥＤが発光し、スタートキー１５５を押下することができないときに赤色のＬＥＤが発光する。これにより、スタートボタン１５５が赤または青で発光するので、操作者はスタートボタンを押下することができるか否かをＬＥＤの発光している色を見ることにより認識することができる。同様に、ストップキー１５４とパネルリセットキー１５７においては赤色と青色のＬＥＤの発光が行なわれる。
【００４９】
次に、ＬＣＤ表示処理が行なわれる。ＬＣＤ表示処理とは、操作パネル１５０の液晶表示装置（ＬＣＤ）１５６に表示する画面を制御するための処理である。
【００５０】
このように、メインルーチンで１回のルーチンを処理する間に、表示処理が１回行なわれて、ＬＥＤと液晶表示装置１５６の表示内容が切換わる。
【００５１】
図９は、操作パネル１５０の液晶表示装置１５６（ＬＣＤ）に動作モードを表示するための処理の流れを示すフロー図である。図を参照して、上述のジョブ制御処理により決定されたカレントジョブにより液晶表示装置１５６に表示される表示内容が決定される。カレントジョブが「読込」の場合には（ステップＳ８０でＹＥＳ）、液晶表示装置１５６に読込ジョブの動作モードが表示される（ステップＳ８７）。読込ジョブとは、読取装置ＩＲで処理しているジョブ、すなわち原稿を読取って画像データを出力する処理に対して設定された動作モードが表示される。動作モードが設定されていない場合には、初期設定された動作モードが表示される。
【００５２】
カレントジョブが「プリント」の場合には（ステップＳ８１でＹＥＳ）、液晶表示装置１５６にプリント装置ＰＲＴで処理しているジョブの動作モードが表示される（ステップＳ８８）。プリントジョブとは、プリント装置ＰＲＴで画像メモリ２３０に記憶されている画像データを用紙に印字を行なう処理であり、その動作モードとは、印字を行なう場合の濃度、倍率、使用する用紙のサイズ、印字した用紙に対して行なうソートあるいはステープルの有無、印字形態として片面印字もしくは両面印字等のモードをいう。
【００５３】
カレントジョブに何も設定されておらず、全体エラーと判断された場合には（ステップＳ８２でＹＥＳ）、液晶表示部１５６に全体エラー表示がされる（ステップＳ８６）。全体エラー表示とは、読取装置ＩＲとプリント装置ＰＲＴとの両方においてエラーが生じた状態をいい、液晶表示装置１５６には、たとえば「読取装置とプリント装置とでエラーが発生しています」のメッセージを表示する。
【００５４】
カレントジョブに何も設定されておらず両方中断と判断された場合には（ステップＳ８３でＹＥＳ）、液晶表示部１５６に両方中断中の表示がなされる（ステップＳ８５）。両方中断中の表示とは、読取装置ＩＲとプリント装置ＰＲＴとの両方で、処理が中断している状態を表示するものである。処理の中断とは、ストップキー１５４が押下されたときにカレントジョブの動作が中断することにより中断する。たとえば、液晶表示部１５６に表示されているカレントジョブがプリントジョブである場合に、ストップキー１５４を押下すると、プリント動作が中断する。また、液晶表示装置１５６にカレントジョブであるプリントジョブが表示されている状態で、予約設定キー１５８を押下することにより、表示されるジョブ一覧表から読取ジョブを選択して読取ジョブをカレントジョブにした後、ストップキー１５４を押下することにより、読取ジョブを中断させることができる。
【００５５】
両方中断中の表示とは、液晶表示装置１５６に「読取装置とプリント装置の両方の処理が中断しています」のメッセージが表示される。
【００５６】
以上のいずれでもない場合（ステップＳ８３でＮＯ）、カレントジョブに何も設定されておらず待機中の状態であるので待機中表示がなされる（ステップＳ８４）。待機中表示とは、画像メモリ２３０に画像データが記憶されておらず、読取装置ＩＲとプリント装置ＰＲＴの両方が動作していない状態をいう。したがってデジタル複写機は動作していない状態となる。この場合に待機中表示がなされて液晶表示装置１５６に、たとえば「待機中です」の表示がなされる。
【００５７】
このように、液晶表示装置１５６にデジタル複写機の現在の状態が表示され、特にデジタル複写機で処理するジョブが複数ある場合には、カレントジョブの動作モードが表示されるので、操作者は、デジタル複写機がどのような状態にあるのかを視覚により認識することができる。また、液晶表示装置１５６に表示されているカレントジョブの動作を、ストップキー１５４を押下することにより中断することができるので、現在読取装置ＩＲまたはプリント装置ＰＲＴで行なっている動作を中断することができる。
【００５８】
次にオートクリア処理について説明する。オートクリア処理とは、読取処理ＩＲで行なっている処理が中断またはエラーにより停止した場合、または読取装置ＩＲで処理している画像データに対応する動作モードの設定が放置されている場合に、読取装置で処理している画像データに対応する動作モードをクリアする処理であり、同様に、プリント装置ＰＲＴでの処理が中断またはエラーにより停止している場合、またはプリント装置ＰＲＴで処理している画像データの動作モードの設定が放置されている場合に読取プリント装置ＰＲＴで処理している画像データの動作モードをクリアする処理である。
【００５９】
図１０と図１１は、オートクリア処理の流れを示すフロー図である。図中ＦＲＥＡＤは、読取装置ＩＲが動作しているか否かを示すフラッグであり、ＦＲＥＡＤが「０」の場合には動作していない状態を示し、「１」の場合には動作している状態を示す。また、ＦＲＥＡＤのオフエッジとは、１つの原稿が読取られて画像データが出力されたことを検知したことを示すもので、ＦＲＥＡＤフラッグが「１」から「０」に変わる時点で検知される。ＦＲＥＡＤのオフエッジが一度検知されると、次にＦＲＥＡＤフラッグが「１」から「０」に変わることがない限り、ＦＲＥＡＤのオフエッジは検知されない。また、ＦＲＥＡＤのオフエッジは、読取装置ＩＲで読取る原稿の枚数の分だけ検知されることになる。したがって、ＦＲＥＡＤのオフエッジが原稿の枚数分検知されることにより、読込み原稿の枚数指定があった場合には、すべての原稿が読取られたことがわかる。
【００６０】
ＦＲＥＡＤフラッグが「０」の状態を維持している場合で、ＦＲＥＡＤのオフエッジが検知されない場合には、読取装置ＩＲが動作していない状態が継続していることを示す。動作していない状態とは、読取装置ＩＲが動作を中断している場合、もしくはエラーが発生して停止している状態を示す。
【００６１】
ＦＫＥＹは、操作パネル１５０のキーが押下されたか否かを示すフラッグであり、ＦＫＥＹが「１」のときはキーが押下されていることを示し、「０」のときはキーが押下されていないことを示す。また、ＦＫＥＹのオフエッジとは、ＦＫＥＹフラッグが「１」から「０」に変化するときに検知されるものである。また、ＦＫＥＹのオフエッジが検知されたことを一度判断されると、次にＦＫＥＹフラッグが「１」から「０」に変化しない限りＦＫＥＹのオフエッジは検知されない。したがって、ＦＫＥＹのオフエッジは、操作パネルのキーが押下された回数の分だけ検知されることになる。また、ＦＫＥＹフラッグが「０」である状態を維持する場合に、ＦＫＥＹのオフエッジが検知されない状態が継続すると、操作パネル１５０における動作モードの設定が途中で放置されている状態を示す。
【００６２】
ＦＰＲＩＮＴとは、プリント装置ＰＲＴが動作しているか否かを示すフラッグであり、ＦＰＲＩＮＴが「０」の場合にはプリント装置ＰＲＴが動作していない状態を示し、「１」の場合にはプリント装置ＰＲＴが動作している状態を示す。また、ＦＰＲＩＮＴのオフエッジとは、プリント装置ＰＲＴのプリント動作が終了した時点で検知されるもので、換言すればＦＰＲＩＮＴフラッグが「１」から「０」に変わる時点で一度検知される。ＦＰＲＩＮＴのオフエッジが検知されたことが一度判断されると、次にＦＰＲＩＮＴが「１」から「０」に変わらない限りＦＰＲＩＮＴのオフエッジは検知されない。ＦＰＲＩＮＴのオフエッジは、プリント装置ＰＲＴでプリントする枚数の分だけ検知されることになる。したがって、画像メモリ２３０に記憶されている画像データの枚数分だけＦＰＲＩＮＴのオフエッジが検知されることにより、原稿の枚数指定があった場合には、すべての画像データがプリント出力されたことがわかる。
【００６３】
ＲＴＩＭＥはタイマ１７４で計数される変数であり、ＰＴＩＭＥとは、タイマ１７５で計数される変数である。ＴＳＥＴまたはＴＳＥＴ１は、変数ＲＴＩＭＥまたはＰＴＩＭＥに設定される定数であり、ＴＳＥＴはＴＳＥＴ１よりも小さい。変数ＲＴＩＭＥとＰＴＩＭＥとは、図５に示したメインフローが１ルーチンの処理を終了するたびに１ずつ減算される変数である。
【００６４】
図１０を参照して、ＦＲＥＡＤフラッグが「０」であるか否かが判断される（ステップＳ９００）。ＦＲＥＡＤフラッグが「１」の場合、すなわち読取装置ＩＲが動作している場合にはステップＳ９４０に進む。ＦＲＥＡＤフラッグが「０」の場合、すなわち読取装置ＩＲが動作していない場合には（ステップＳ９００でＹＥＳ）、ＦＲＥＡＤのオフエッジが検知されたか否かが判断される（ステップＳ９０１）。すなわち、原稿１頁分の画像データの出力が検知されたか否かが判断される。ＦＲＥＡＤのオフエッジが検知された場合には（ステップＳ９０１でＹＥＳ）、変数ＲＴＩＭＥに定数ＴＳＥＴが設定されることにより、変数ＲＴＩＭＥがリセットされる（ステップＳ９０２）。その後ステップＳ９３０に進む。ステップＳ９０２において、変数ＲＴＩＭＥへの定数ＴＳＥＴの設定は、読取装置ＩＲで１頁分の原稿が読取られて画像データが出力されるたびにタイマ１７４がリセットされることを示す。
【００６５】
ＦＲＥＡＤのオフエッジが検知されない場合には（ステップＳ９０１でＮＯ）、ＦＫＥＹフラッグが判断される（ステップＳ９１０）。ＦＫＥＹフラッグが「０」でない場合、すなわち操作パネル１５０のキーが押下された場合にはステップＳ９４０に進む。ＦＫＥＹフラッグが「０」の場合（ステップＳ９１０でＹＥＳ）、すなわち操作パネル１５０のキーが押下されていない場合には、ＦＫＥＹのオフエッジが検知されたか否かが判断される（ステップＳ９１１）。ＦＫＥＹのオフエッジが検知された場合（ステップＳ９１１でＹＥＳ）には、カレントジョブが「読込」であるか否かが判断される（ステップＳ９２０）。カレントジョブが「読込」の場合にはステップＳ９０２に進み、タイマ１７４のリセットが行なわれる。
【００６６】
ステップＳ９１１でＦＫＥＹのオフエッジが検知されない場合、または検知された場合であってカレントジョブが「読込」でない場合にはステップＳ９２１に進む。ステップＳ９２１では、変数ＲＴＩＭＥから１が減算される。これにより、読取装置ＩＲが動作を中断している状態、またはエラーにより停止している場合であって操作パネル１５０のキーが押下されていない状態が継続している間、変数ＲＴＩＭＥが１減算され続けることになる。そしてステップＳ９３０において変数ＲＴＩＭＥが０か否かが判断され、０である場合には（ステップＳ９３０でＹＥＳ）、読込ジョブの初期化、すなわち読取装置ＩＲで処理している画像データの動作モードが初期化される。また、画像データそのものを画像メモリ２３０から削除するようにしてもよい。
【００６７】
ステップＳ９３０において、ＲＴＩＭＥが０でない場合にはステップＳ９４０に進む。
【００６８】
図１１を参照して、ステップＳ９４０では、ＦＰＲＩＮＴフラッグが「０」であるか否かが判断される。ＦＰＲＩＮＴが「１」の場合、すなわちプリント装置ＰＲＴが動作している場合にはオートクリア処理を終了してメインフローに戻る。ＦＰＲＩＮＴフラッグが「０」の場合（ステップＳ９４０でＹＥＳ）、すなわちプリント装置ＰＲＴが動作していない場合にはＦＰＲＩＮＴのオフエッジが検知されたか否かが判断される（ステップＳ９４１）。ＦＰＲＩＮＴのオフエッジが検知された場合には（ステップＳ９４１でＹＥＳ）、ステップＳ９４２に進み変数ＰＴＩＭＥに定数ＴＳＥＴがセットされる（ステップＳ９４２）。これにより、タイマ１７５がリセットされる。
【００６９】
ＦＰＲＩＮＴのオフエッジが検知されない場合には（ステップＳ９４１でＮＯ）、ＦＫＥＹフラッグが「０」であるか否かが判断される（ステップＳ９５０）。ＦＫＥＹが「０」でない場合には、すなわち操作パネル１５０のキーが押下された場合にはメインフローに戻る。
【００７０】
ＦＫＥＹフラッグが「０」の場合（ステップＳ９５０でＹＥＳ）、すなわち操作パネル１５０でキーが押下されない場合には、ＦＫＥＹのオフエッジが検知されたか否かが判断される（ステップＳ９５１）。ＫＥＹのオフエッジが検知された場合には（ステップＳ９５１でＹＥＳ）、カレントジョブが「プリント」であるか否かが判断される（ステップＳ９５２）。カレントジョブが「プリント」である場合には（ステップＳ９５２でＹＥＳ）、ステップＳ９４２で変数ＰＴＩＭＥに定数ＴＳＥＴが設定される。これにより、タイマ１７５がリセットされる。このように、プリント装置ＰＲＴで１頁分の画像データがプリント出力されるか、プリントされない場合であって操作パネル１５０でキーの押下がされた場合に、タイマ１７５がリセットされる。
【００７１】
一方、ＦＫＥＹのオフエッジが検知されない場合（ステップＳ９５１でＮＯ）、またはＦＫＥＹのオフエッジが検知された場合であってもカレントジョブが「プリント」でない場合には変数ＰＴＩＭＥから１が減算される（ステップＳ９５３）。ステップＳ９５２において、カレントジョブがプリントでない場合とは、プリント装置ＰＲＴで行なう処理に対応する動作モードの設定とは関係ないキー操作が操作パネル１５０で行なわれていることを示す。
【００７２】
したがって、プリント装置ＰＲＴが中断またはエラーにより停止している場合であって、操作パネル１５０においてプリント装置ＰＲＴで処理している画像データに対応する動作モードの設定がされていない状態が継続する限り、変数ＰＴＩＭＥが１ずつ減算されることになる。
【００７３】
そして、ステップＳ９６０において、変数ＰＴＩＭＥが０であるか否かが判断され、「０」の場合にはプリント装置ＰＲＴで処理している画像データに対応する動作モードが初期化される（ステップＳ９６１）。また、プリント装置ＰＲＴで処理している画像データそのものを画像メモリ２３０から削除するようにしてもよい。
【００７４】
また、変数ＰＴＩＭＥが０でない場合には何も行なわずメインフローに戻る。以上説明したとおり、本実施の形態におけるデジタル複写機においては、読取装置ＩＲの動作が中断している状態、または読取装置ＩＲで行なう処理に対応する動作モードの設定が操作パネル１５０からされていない状態のときに、タイマ１７４によりその動作が継続している時間がタイマ１７４で計測される。そしてタイマ１７３で計測された時間が所定の時間（ＴＳＥＴ）となった場合には、読取装置ＩＲで行なう処理が初期化される。また、読取られた画像データを画像メモリ２３０から削除する。
【００７５】
さらに、プリント装置ＰＲＴの動作が中断している状態、またはプリント装置ＰＲＴで処理している画像データに対応する動作モードに対して操作パネル１５０で設定がされていない状態が継続する時間がタイマ１７５で計測される。そしてタイマ１７５で計測された時間が所定の時間（ＴＳＥＴ）となったときに、プリント装置ＰＲＴで処理しているジョブがクリアされる。これにより、プリント装置ＰＲＴで処理している画像データに対応する動作モードが初期化される。また、画像データが画像メモリ２３０より削除される。
【００７６】
このように、読取装置ＩＲで行なう処理が停滞している時間を計時するタイマ１７４とプリント装置ＰＲＴで行なう処理が停滞する時間を計時するタイマ１７５とを設け、それぞれ独立にタイマを計時するようにしたので、一方の処理が継続している場合であっても、他方の処理が停止または中断している場合には他方の処理をクリアすることができる。その結果、次にデジタル複写機に対して処理を入力しようとする者は、デジタル複写機のジョブごとに現在の状況を認識することができ、特に読取装置ＩＲが中断またはエラーにより停止したまま放置されることがなくなる。その結果即座にデジタル複写機に対して処理を入力することができる。
【００７７】
図１２と図１３は、オートクリア処理の変形例を示すフロー図である。図を参照して、変形例におけるオートクリア処理は、図１０に示したオートクリア処理にステップＳ９０２′とステップＳ９４２′とを加えた流れとなっている。この点を除いて図１０および図１１に示したオートクリア処理と同様であるので同じステップについては説明を繰返さない。図１２と図１３に示したオートクリア処理の変形例においては、タイマ１７４とタイマ１７５をリセットするための定数にＴＳＥＴとＴＳＥＴ１の２つの定数を用いたものである。ＴＥＳＴはＴＳＥＴ１よりも小さい値を設定してある。
【００７８】
図１２を参照して、ステップＳ９０２′に進むのは、ステップＳ９０１においてＦＲＥＡＤのオフエッジが検知された場合であり、ステップＳ９０２に進むのは、ステップＳ９０２においてカレントジョブが「読込」と判断された場合である。これは、読取装置ＩＲで画像データの出力が検知された場合と、読取装置ＩＲで処理する画像データに対応する動作モードの設定が操作パネル１５０からされた場合とでタイマ１７４をリセットする時間を異ならせるようにしたものである。したがって、読取装置ＩＲで画像データが一度出力された場合には、その後読取装置ＩＲが処理を中断またはエラーにより停止する時間は、動作モードを設定する操作が放置される時間よりも長い時間が許されることになる。
【００７９】
図１３を参照して、ステップＳ９４２′に進むのは、ステップＳ９４１においてＦＰＲＩＮＴのオフエッジが検知された場合であり、ステップＳ９４２に進むのは、ステップＳ９５２においてカレントジョブが「プリント」と判断された場合である。ステップＳ９４２においては、変数ＰＴＩＭＥに定数ＴＳＥＴが設定されることによりタイマ１７５がリセットされ、ステップＳ９４２′においては変数ＰＴＩＭＥに定数ＴＳＥＴ１が設定されることによりタイマ１７５がリセットされる。ステップＳ９４２とステップＳ９４２′とで変数ＰＴＩＭＥに設定される定数が異なる。これにより、プリント装置ＰＲＴで１頁分の画像データが出力された場合には、その後プリント装置ＰＲＴが処理を中断またはエラーにより停止する時間は、プリント装置ＰＲＴで処理する画像データに対する動作モードの設定が放置される時間よりも長い時間が許されることになる。
【００８０】
このように、読取装置ＩＲまたはプリント装置ＰＲＴの動作が中断または停止しているときにジョブがクリアされるまでの時間を、読取装置ＩＲまたはプリント装置ＰＲＴで処理する画像データに対応する動作モードを設定する操作を放置する時間よりも長くすることにより、バリエーションに富んだオートクリア処理を実現することができる。その結果、利便性のよいデジタル複写機を提供することができる。
【００８１】
また、オートクリアするジョブを、カレントジョブのみに制限することもできる。これにより、カレントジョブ、すなわち操作パネルの液晶表示装置１５６に動作モードが表示されているジョブのみがクリアされるので、カレントジョブでないサブジョブについてはクリアされることはない。これにより、操作者が液晶表示装置１５６で動作モードの設定を放置しているジョブのみをクリアすることができる。
【００８２】
さらに、サブジョブをオートクリアするまでの時間をカレントジョブをオートクリアするまでの時間よりも長くして、サブジョブをオートクリアするまでの時間を延長させるようにオートクリア処理を変形してもよい。これにより、使用者が動作モードを液晶表示装置１５６で確認できないサブジョブがクリアされるまでの時間を長く取ることができる。
【００８３】
［第２の実施の形態］
第２の実施の形態におけるデジタル複写機２００は、第１の実施の形態におけるデジタル複写機に原稿積載台を付加したハード構成である。その他のハード構成については第１の実施の形態におけるデジタル複写機２００と同じなのでここでの説明は繰返さない。図１４は、第２の実施の形態におけるデジタル複写機２００の概略構成を示す模式的断面図である。図１４を参照して、第２の実施の形態におけるデジタル複写機２００は、原稿積載台５１０を備える。
【００８４】
原稿積載台５１０は、複数の原稿台５１１〜５１５を有し、自動原稿搬送装置５００に支持されている。原稿積載台５１０は、図示しないモータによって駆動されることにより、自動原稿搬送装置５００に対して上下方向（紙面に垂直方向）に移動可能に接続されている。複数の原稿台５１１〜５１５には、それぞれデジタル複写機２００で複写するための一束の原稿をセットすることができる。
【００８５】
原稿積載台５１０が図１４に示す位置にあるとき（この位置をホームポジションとする）、原稿台５１１にセットされた一束の原稿は自動原稿搬送装置５００に供給される。原稿積載台５１０が駆動モータによって駆動されて下方に移動し、原稿台５１２がホームポジションにおける原稿台５１１の位置に来たとき、原稿台５１２にセットされた一束の原稿は順に自動原稿搬送装置５００に供給される。同様に、原稿台５１３〜５１５にセットされた一束の原稿は、駆動モータによって原稿積載台５１０を下方に移動することにより、それぞれの原稿台５１３〜５１５がホームポジションにおける原稿台５１１があったときに来たとき、それぞれの原稿台５１３〜５１５にセットされた一束の原稿が自動原稿搬送装置５００に供給される。
【００８６】
第２の実施の形態におけるデジタル複写機２００で行なわれる処理は、第１の実施の形態におけるデジタル複写機２００における処理とオートクリア処理が異なるのみでその他の処理については同様であるのでここでの説明は繰返さない。
【００８７】
図１５は、第２の実施の形態におけるデジタル複写機で行なわれるオートクリア処理の流れを示すフロー図である。図を参照して、オートクリア処理は、まず、原稿積載台５１０の原稿台５１１〜５１５のいずれかに対して動作モードの予約が設定されている最中か否かが判断される（ステップＳ１００１）。動作モードの予約とは、原稿台にセットされた、またはセットされるであろう原稿を処理するための動作モードを、処理を行なう前に予め設定しておく操作をいう。このオートクリア処理は、原稿台５１１〜５１５の５つの原稿台に対してそれぞれ行なわれるものである。ここでは原稿台５１１に対して行なわれるオートクリア処理を説明する。したがって、ステップＳ１００１においては、原稿台５１１に対して動作モードの予約が操作パネル１５０からされている最中か否かが判断される。そして、予約操作中でない場合には、原稿台５１１にセットされた原稿に対して予約が既に設定済か否かが判断され（ステップＳ１００３）、設定済でない場合にはオートクリア処理を行なう必要はないのでそのまま処理を終了する。
【００８８】
原稿台５１１に対して予約を設定中である場合には（ステップＳ１００１でＹＥＳ）、操作パネル１５０のキーが押下されたか否かが判断される（ステップＳ１００２）。操作パネル１５０のキーが押下された場合には（ステップＳ１００２でＮＯ）、設定操作が継続中であるのでそのまま処理を終了する。操作パネル１５０でキーが押下されていない場合には（ステップＳ１００２）、予約設定中であって設定操作が放置されている状態であるので、原稿台５１１に原稿がセットされているか否かが判断される（ステップＳ１００４）。また、ステップＳ１００３で原稿台５１１に予約が設定済みと判断された場合にもステップＳ１００４で原稿台５１１に原稿がセットされているか否かが判断される。これは、予約設定後に原稿をセットせずに放置している状態である。
【００８９】
原稿台５１１に原稿がセットされている場合には（ステップＳ１００４でＹＥＳ）、オートクリア処理を行なう必要がないのでそのまま処理を終了する。原稿台５１１に原稿がセットされていない場合には、ＦＫＥＹのオフエッジが検出されたか否かが判断される（ステップＳ１００５）。ＦＫＥＹのオフエッジが検知された場合には（ステップＳ１００５でＹＥＳ）、変数ＡＴＩＭＥｎに定数ＴＳＥＴ１が設定されることにより、タイマがリセットされる（ステップＳ１００７）。
【００９０】
ＦＫＥＹのオフエッジが検知されない場合には（ステップＳ１００５でＮＯ）、変数ＡＴＩＭＥｎから１が減算される（ステップＳ１００６）。これにより、原稿台５１１にセットされるであろう原稿に対する動作モードの予約の設定が放置されている場合や、または原稿台５１１に予約がセットされているが原稿がセットされていない場合に、変数ＡＴＩＭＥｎが１ずつ減算される。そして、ステップＳ１００８において、変数ＡＴＩＭＥｎが０か否かが判断される。変数ＡＴＩＭＥｎが０の場合には原稿台５１１に対して設定されている予約を破棄する（ステップＳ１００９）。
【００９１】
これにより、原稿台５１１に対する動作モードの予約の設定が放置されている場合や、原稿台５１１に対して動作モードの予約を設定したが、所定の時間経過しても原稿が原稿台５１１にセットされない場合は設定された予約が破棄される。
【００９２】
以上説明したとおり、第２の実施の形態におけるデジタル複写機によれば、原稿台５１１〜５１５上に原稿がセットされている原稿台に対してのみ予約された動作モードで処理することが可能となるので、予約の設定操作が途中で長時間放置されることがなく、原稿台５１１〜５１５に原稿がセットされていない原稿台に対して予約された動作モードを長時間維持しておくことがない。これにより、デジタル複写機を効率的に利用することが可能となる。
【００９３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】第１の実施の形態におけるデジタル複写機の概略構成を示す模式的断面図である。
【図２】デジタル複写機２００の上面に設けられた操作パネル１５０の平面図である。
【図３】デジタル複写機２００の制御部の概略構成を示すブロック図である。
【図４】マルチジョブ動作について説明するための模式図である。
【図５】デジタル複写機２００で行なわれる処理の流れを示すメインフロー図である。
【図６】ジョブ制御処理の流れを示すフロー図である。
【図７】キー入力処理の流れを示すフロー図である。
【図８】表示処理の流れを示すフロー図である。
【図９】ＬＣＤ処理の流れを示すフロー図である。
【図１０】オートクリア処理の流れを示す第１のフロー図である。
【図１１】オートクリア処理の流れを示す第２のフロー図である。
【図１２】オートクリア処理の変形例を示す第１のフロー図である。
【図１３】オートクリア処理の変形例を示す第２のフロー図である。
【図１４】第２の実施の形態におけるデジタル複写機の概略構成を示す模式的断面図である。
【図１５】第２の実施の形態におけるデジタル複写機で行なわれるオートクリア処理の流れを示すフロー図である。
【符号の説明】
２００  デジタル複写機
ＩＲ  読取装置
ＰＲＴ  プリント装置
１５０  操作パネル
１７３  ＣＰＵ
１７４，１７５  タイマ
２３０  画像メモリ
５００  自動原稿搬送装置
５１０  原稿積載台
５１１〜５１５  原稿台
【図１】
0003680610.tif 000002
【図２】
0003680610.tif 000003
【図３】
0003680610.tif 000004
【図４】
0003680610.tif 000005
【図５】
0003680610.tif 000006
【図６】
0003680610.tif 000007
【図７】
0003680610.tif 000008
【図８】
0003680610.tif 000009
【図９】
0003680610.tif 000010
【図１０】
0003680610.tif 000011
【図１１】
0003680610.tif 000012
【図１２】
0003680610.tif 000013
【図１３】
0003680610.tif 000014
【図１４】
0003680610.tif 000015
【図１５】
0003680610.tif 000016